(57)【要約】【課題】  貝類の養殖室となるポケットの開口部を容易に塞ぎ、また容易に開口させ得る養殖かごを提供する。【解決手段】    上下端の吊下げ用横桟２と所定間隔を置いて平行に張り渡される多数の横桟３に背網地４が張設され、上端の吊下げ用横桟２と多数の横桟３により区画された部分にその区画と同幅の前網地６を夫々重合して上方の開口部７ａを除く三方を結縛して養殖室となるポケット１０を縦方向に多段に形成し、該ポケット１０の開口部７ａを封止するポケット押え蓋１１を前記各横桟２、３に開閉自在に取り付けた連段養殖かごであって、閉止用ロープ１６にて各ポケット押え蓋１１の蓋枠体１２の両下隅部１２ｂを順次縦方向に結縛することにより複数段のポケット押え蓋１１を一括りの連結体１８とし、該一括りの連結体１８を複数組形成して最下端のポケット押え蓋１１の蓋枠体１２と次段の横桟３とを係止具１７にて固定する。【選択図】  図１
2013116063.tif 000002
【特許請求の範囲】
【請求項１】
上下端の吊下げ用横桟と所定間隔を置いて縦方向に平行に張り渡される多数の横桟に背網地が全長に亘って絡めるように張設され、上端の吊下げ用横桟と多数の横桟により区画された部分にその区画と同幅の前網地を夫々重合して上方の開口部を除く三方を結縛して養殖室となるポケットを縦方向に多段に形成し、該ポケットの開口部を封止するポケット押え蓋を前記各横桟に開閉自在に取り付けた連段養殖かごであって、閉止用ロープにて各ポケット押え蓋の蓋枠体の両下隅部を順次縦方向に結縛することにより複数段のポケット押え蓋を一括りの連結体とし、該一括りの連結体を複数組形成して最下端のポケット押え蓋の蓋枠体と次段の横桟とを係止具にて固定することを特徴とするポケット押え蓋付き連段養殖かご。
【請求項２】
前記閉止用ロープはポケット押え蓋の蓋枠体のいずれかの下隅部を順次縦方向に結縛することにより複数段のポケット押え蓋を一括りの連結体とする１本のロープであることを特徴とする請求項１に記載のポケット押え蓋付き連段養殖かご。
【請求項３】
係止具は一括りされたポケット押え蓋の連結体の最下端の蓋枠体と次段の横桟とを引掛け固定するフック部材である請求項１に記載のポケット押え蓋付き連段養殖かご。
【発明の詳細な説明】
【技術分野】
【０００１】
本発明は、帆立貝やアコヤ貝のような二枚貝の養殖に用いる養殖かごであって、養殖室となるポケット部を複数段に形成した養殖かごに関するものである。
【背景技術】
【０００２】
一般に、帆立貝等の貝類（以下、貝という。）の養殖において、育成の最終段階で網地を重ねてポケット状に形成した養殖室を複数段に形成した連段養殖かごが使用されている。
【０００３】
このような構成を備えた先行技術例として、例えば、特開昭４８−８０３９２号公報に示される平面かごが代表的なものである。この従来例のかごではポケット部の開口を、貝が逃げ出ないよう閉止するため合成樹脂製の口縫い糸を開口部の横方向に、背網地と前網地の網目を掬いながら通して両端の側紐に締縛している。
【０００４】
この口縫い糸を連段養殖かご全体に通すことは大変な手間と労力を要し、貝をポケット部から出す際にもこの口縫い糸を個々に外す作業が強いられ、海の船上での作業となることから漁業者にとって能率の悪いものであった。
【０００５】
また、公開実用昭和４８−７９７９４号に提案されるようにポケット部をフックにて横桟に定着するものもあるが、前記の先行例と同様に個々のポケットごとに定着作業を強いられ、作業の能率は多少は改善されるものの手間のかかる作業から解放されるものではない。
【０００６】
かかる事情から本発明者は、特開２０１１−５５７５４として連段養殖かごの各ポケットの開口部を封止するポケット押え蓋を各横桟に開閉自在に取り付けた連段養殖かごを提案した。
【０００７】
然るに、連段養殖かごは筏等に吊下げられて海中に設置されるが、海中での養殖かごは潮や波によるかごの上下運動によりポケット押え蓋が浮き上がったりしてポケット開口部の封止がきかず、ポケット中の貝が海中に逃げ出てしまうおそれがあった。そこで、ポケット押え蓋の蓋枠体と次段の横桟とを紐で結縛することでポケット押え蓋の浮き上がり防ぐこともできるが、多段に形成されたポケット押え蓋を横桟に結縛する作業は手間を要し、また、貝類を取出す際にも個々に結縛した紐を解く作業が付加され、能率の悪さは改善されない。
【先行技術文献】
【特許文献】
【０００８】
【特許文献１】特開昭４８−８０３９２号公報
【特許文献２】公開実用昭和４８−７９７９４号明細書
【特許文献３】特開２０１１−５５７５４号公報
【発明の概要】
【発明が解決しようとする課題】
【０００９】
本発明はこのような課題を解決するものであり、潮や波の影響で生ずるかごの上下運動にあっても複数段に亘るポケット開口部を封止するポケット押え蓋を簡単な手段で閉じ得て貝の逃げ出しを防ぎ、また簡単な手段でポケット開口部を開くことが出来るポケット押え蓋付き連段養殖かごを提供することを目的とする。
【課題を解決するための手段】
【００１０】
上記目的を達成するため、本発明は網地を重ねて上方の開口部を除く三方を結縛して養殖室となるポケットを縦方向に複数段に形成した養殖かごの開口部を封止するポケット押え蓋を横桟に開閉自在に取り付けた連段養殖かごであって、該ポケット押え蓋を構成する蓋枠体の両下隅部を順次縦方向に結縛する２本の閉止用ロープにて、上段の蓋枠体より複数段目の蓋枠体に亘って一括りの連結体とし、この一括りとした連結体を複数組形成して該連結体の最下端の蓋枠体と次段の横桟に係止具を掛け渡して固定される。
【００１１】
又、本発明の封止用ロープは、ポケット押え蓋の蓋枠体のいずれかの下隅部を順次縦方向に結縛することにより複数のポケット押え蓋を一括りの連結体とする１本のロープであってもよい。
【００１２】
又、本発明の係止具は一括りされたポケット押え蓋の連結体の最下端の蓋枠体と次段の横桟とを引掛け固定するフック部材とした。
【発明の効果】
【００１３】
本発明によれば、ポケットの開口部を押え込むポケット押え蓋の蓋枠体を１本又は２本の連続する閉止用ロープにて縦方向に順次結縛し、上段のポケット押え蓋より複数段目のポケット押え蓋に亘って一括りに張設して一組の連結体とし、この一括りとした連結体を連段養殖かごの全長に亘り複数組形成し、この複数組の一括りされたポケット押え蓋の最下端の蓋枠体の底辺部と次段の横桟を係止具により係止することにより各ポケット押え蓋は連結して固定される。即ち、このように構成された連段養殖かごを海中に設置した場合、潮や波によるかごの上下運動に遭遇してもポケット押え蓋が浮き上がるのを防止でき、貝がポケットの開口部より海中に逃げ出ることを防ぐことができる。
【００１４】
また、連段養殖かごを天地を逆にして吊下げ、一括りとした連結体の最下端のポケット押え蓋の蓋枠体と次段の横桟に掛け渡されている係止具を外すだけで閉止用ロープにて一括りに連結されたポケット押え蓋が一斉に開らいて開口部が解放され、ポケット中の貝を一気に排出することができるため作業能率が大幅に向上する。
【図面の簡単な説明】
【００１５】
【図１】本発明の実施例を示すポケット押え蓋付き連段養殖かごの全体の概略図である。
【図２】同、側面から見た要部の拡大断面図である。
【図３】同、ポケット押え蓋部の拡大正面図である。
【図４】同、連段養殖かごを天地を逆に吊下げた状態の説明図である。
【図５】同、ポケット押え蓋の蓋枠体と次段の横桟をフック部材により係止した状態の説明図である。
【図６】本発明の他の実施例の概略図である。
【発明を実施するための形態】
【００１６】
以下、本発明を図示する実施例により具体的に説明する。
連段養殖かご１は、上下端の吊下げ用の横桟２と所定間隔を置いて縦方向に張り渡される多数の横桟３を絡めるように基網となる背網地４が連段養殖かご１の全長に亘って張設され、左右端は側紐５に結縛されて固定されている。吊下げ用桟２を含め多数の横桟３はビニール被覆された金属製杆で構成され、側紐５は合成樹脂製の紐で構成されている。
【００１７】
各横桟３により区画される部分に同幅の前網地６が背網地４と重合され、上縁７を開口部７ａとし左右端は前記した側紐５に結縛され、下縁８は両網地４、６を絡めるように合成樹脂製の封止糸９が横方向に挿通されポケット底部を形成している。かくして、両網地４、６の重合部分が貝の養殖室となるポケット１０を構成している。ポケット１０の開口部７ａは横桟３に沿って横方向に開口しており、貝の投入口となり、また排出口ともなる。
【００１８】
１１はポケット押え蓋で、ポケット１０の開口部７ａを押え込むように蓋枠体１２が横桟３に開閉自在に取り付けられている。また、蓋枠体１２はコ字状のビニール被覆された金属杆からなり、網地１３が該蓋枠体１２の全面に張設され、両基端１２ａは横桟３に回動可能に取り付けられている。このポケット押え蓋１１は連段養殖かご１の全長に亘って各横桟に取り付けられる。
【００１９】
また、ポケット押え蓋１１はポケット１０の開口部７ａ全域を押え込む必要はなく、ポケット中の貝が逃げ出さない程度の横幅及び長さで構成される。ポケット押え蓋１１は金属杆の蓋枠体１２より構成されることで蓋枠体１２自体の重さにより開口部は閉止され、しかも海中にあってはポケット押え蓋１１自体に水圧が掛りポケット１０の開口部７ａに対する押圧を強固にしている。
【００２０】
通常、この種の連段養殖かご１は横桟３で仕切られたポケット１０が縦方向に２０段乃至２５段連設されており、横桟３間の各段の長さは１５ｃｍ乃至２０ｃｍ程であり、従って連段養殖かご１は全長が４乃至５ｍの長さになる。
【００２１】
更に、連段養殖かご１には上下端の吊下げ用横桟２にそれぞれ吊下げ用ロープ１４、１５が結縛されており、下端の吊下げロープ１５には錘（図示略）が付けられ連段養殖かご１は筏などに吊下げられて海中に没入される。
【００２２】
しかし、海が荒れた場合や、潮や波の影響で海中に設置された養殖かご１には上下運動が生じ、ポケット押え蓋１１が浮き上がる場合があり、開口部７ａから貝類が逃げ出てしまうおそれもある。そこで、本発明では、潮や波の上下運動を受けた場合にもポケット押え蓋１１が浮き上がることのない連段養殖かごを提案している。
【００２３】
即ち、図に示すように、２本の閉止用ロープ１６によりポケット押え蓋１１を構成するコ字状の蓋枠体１２の両下隅部１２ｂを結縛し、次いで次段のポケット押え蓋１１の蓋枠体１２の両下隅部１２ｂを結縛し、以下順次縦方向に蓋枠体１２の両下隅部１２ｂが結縛され、最後は７乃至８段目のポケット押え蓋１１の蓋枠体１２の両下隅部１２ｂに結縛され一括りとし、この一括りとした連結体１８を複数組設けている。
【００２４】
１７はフック部材からなる係止具で、一括りされたポケット押え蓋１１の蓋枠体１２の最下端の蓋枠体１２に、次段の横桟３に基端が枢着されたフック部材等の係止具１７の先端鉤部１７ａを引掛けて固定される（図５参照）。係止具１７はコ字状の蓋枠体１２の底辺枠１２ｃに先端鉤部１７ａがポケット押え蓋１１の網地１３の網目を通して係合される。又、係止具１７は２個設けてもよい。
【００２５】
尚、図６は本発明の他の実施例を示す概略図で、１本の封止用ロープ１６にてポケット押え蓋１１の蓋枠体１２の左右いずれかの下隅部１２ｂをそれぞれ順次縦方向に結縛してゆく構成である。即ち、ポケット押え蓋１１を構成するコ字状の蓋枠体１２のいずれか一方の下隅部１２ｂを結縛し、次いで次段のポケット押え蓋１１の蓋枠体１２の一方の下隅部１２ｂを結縛し、以下順次縦方向に蓋枠体１２の一方の下隅部１２ｂが結縛され、最後は７乃至８段目のポケット押え蓋１１の蓋枠体１２の一方の下隅部１２ｂに結縛され一括りとし、この一括りとした連結体１８を図１に示す実施例と同様に複数組設けている。尚、１個又は２個の係止具１７を備えることは前記の実施例と同様である。
【００２６】
次に本発明の作用を説明すると、連段養殖かご１のポケット１０の開口部７ａを開き養殖すべき貝Ａを所要数投入する。順次各段のポケット１０に収容して行き、貝は互いに重ならないように配置して収容される。このとき、ポケット１０の開口部７ａを押え込むポケット押え蓋１１を横桟３を支軸として回動させ、開口部７ａを露呈させる。ポケット１０中に貝Ａを収容する作業は浜の作業所や船上で行われる。
【００２７】
次いで、貝Ａをポケット１０中に収容した後、ポケット押え蓋１１を回動してポケット１０上に重ねることで開口部７ａは封止される。この後、上段のポケット押え蓋１１のコ字状の蓋枠体１２の下隅部１２ｂに封止用ロープ１６を結び、以下順に次段のポケット押え蓋１１の蓋枠体１２の下隅部１２ｂを結縛して複数段を一括りに結び一組の連結体１８とする。封止用ロープ１６は２本用意し、コ字状の蓋枠体１２の左右の下隅部１２ｂに順次１本ずつ結び繋げ上段より７乃至８段目のポケット押え蓋１１を一組として一括りされる。最後に、一括りとなるポケット押え蓋１１の連結体１８は最下端の蓋枠体１２の底辺枠１２ｃと次段の横桟３とにフックなどの係止具１７を掛けて固定される。
【００２８】
通常用いられる連段養殖かごでは、前記したようにポケット１０を備える段は２０段乃至２５段あり、ポケット押え蓋１１を一括りする単位は７段乃至８段を目安とし、封止用ロープ１６にて結ばれる一括りの連結体１８は３組となる。この一括りの連結体１８は長さにして約１５０ｃｍから１８０ｃｍで、作業者が左右に手を伸ばして貝Ａの収容、封止用ロープ１６の結縛を行い易い作業範囲としている。
【００２９】
ポケット１０に貝を収容した連段養殖かご１は海中に投入され、養殖のため所要期間筏等に吊下げて使用される。貝を取出す場合、連段養殖かご１は海上に吊り上げられ、船上にてクレーン等で天地を逆に吊下げられる。この時はポケット１０はポケット押え蓋１１が閉止用ロープ１６にて順次縦方向に結縛されポケット１０の開口部７ａを押えており、しかも一括りされたポケット押え蓋１１の連結体１８は最下端の蓋枠体１２が次段の横桟３に係止具１７にて固定されているため、天地を逆に吊下げられても各段のポケット押え蓋１１は開かない。
【００３０】
次に、天地を逆にして吊下げられた連段養殖かご１の上側となったポケット押え蓋１１の蓋枠体１２と横桟３に掛けられていた係止具１７を外すと、ポケット１０の開口部７ａを押え込んでいたポケット押え蓋１１は閉止用ロープ１６にて連結されたまま一斉に下向きに回動してポケット１０の開口部７ａが開らき、貝Ａはその自重で一気に排出される。
【符号の説明】
【００３１】
１    連段養殖かご
２    吊下げ用桟
３    桟
４    背網地
５    側紐
６    前網地
７ａ  開口部
１０    ポケット
１１    ポケット押え蓋
１２    蓋枠体
１２ｂ  下隅部
１２ｃ  底辺枠
１６    封止用ロープ
１７    係止具
１８    連結体
Ａ    貝
【図１】
2013116063.tif 000003
【図２】
2013116063.tif 000004
【図３】
2013116063.tif 000005
【図４】
2013116063.tif 000006
【図５】
2013116063.tif 000007
【図６】
2013116063.tif 000008